(57)【要約】【課題】表示部裏面から自然放熱する液体冷却システムを有する小型電子計算機において、放熱率を増大する。【解決手段】表示部の開閉角度の変化に伴い、冷却ＦＡＮの風向きを変えるようにする。表示部４の開閉角度が設定角度に達するまでは、冷却ＦＡＮ６からの風の吹き出しはシステム装置７の上方向となっている。表示部４の開閉角度が設定角度を超えるに伴い、表示部４に連動して、システム装置７後部に設けてある通風扉１１が開き、冷却ＦＡＮ６からの風の吹出しをシステム装置７後部に変化させ、表示部４の開閉角度が変化しても、冷却風を均等に放熱板５に当てる。【選択図】  図４
2004302726.tif 000002
【特許請求の範囲】
【請求項１】
ＬＣＤ表示部に放熱部を有し冷却液を循環させてＣＰＵ等の発熱部の発生熱を前記放熱部で外部に放熱するノート型液冷ＰＣにおいて、
ＰＣ本体内部に前記ＬＣＤ表示部の裏面を強制冷却する冷却ファンと、前記冷却ファンの冷却風を前記ＬＣＤ表示部裏面方向に向ける冷却風吐出部とを備えることを特徴とするノート型液冷ＰＣ。
【請求項２】
請求項１記載のノート型ＰＣにおいて、
前記冷却風吐出部はＬＣＤ表示部の開閉に連動して冷却風の吐出方向を変える
ことを特徴とするノート型液冷ＰＣ。
【請求項３】
請求項１記載のノート型ＰＣにおいて、
前記ＬＣＤ表示部の開閉度あるいは前記冷却液温度に基いて、前記冷却ファンのオンオフをおこなうことを特徴とするノート型液冷ＰＣ。
【発明の詳細な説明】
【０００１】
【発明の属する技術分野】
本発明は、パーソナルコンピュータに代表される小型電子計算機等における液冷システムに係り、放熱容量を向上させる技術に関するものである。
【０００２】
【従来の技術】
従来の液冷システムは、装置内部に設けたポンプにより、金属パイプの内部に冷却液を循環させ、ＣＰＵ等の発熱素子と熱交換を行うことで冷却を行う。熱交換において熱を持った冷却液は、金属パイプを通じて表示部裏面の放熱部へと輸送され、表示部に実装されている放熱板により自然放熱される。冷却された冷却液は、金属パイプを通じ装置本体部へ輸送され、発熱素子と熱交換を行なっている。（例えば、特許文献１を参照）
【特許文献１】
特開平２００２−１８２７９７号公報
【０００３】
【発明が解決しようとする課題】
上記冷却液を用いて冷却を行う液冷システムでは、発熱素子との熱交換時に熱を持った金属パイプ内の冷却液を効率良く冷却できれば、発熱容量の大きな素子を実装した装置に搭載可能である。しかし、放熱部での冷却液の冷却効率が低い場合、熱を持った状態の冷却液が装置内を循環し、新たな熱交換に支障が出る可能性がある。この場合、液冷システムの塔載においてシステム容量の制限が発生してしまう。
【０００４】
特にノートＰＣでは、ＬＣＤ等の表示部裏面に放熱部を設け、外気にＣＰＵ等の発熱部で発生する熱を放熱している。ＬＣＤ表示部は、使用方法によりその開閉度が異なる。通常使用開度では、ＬＣＤ表示部は垂直方向に起立しているので、表示部裏面に自然対流が発生し、充分に放熱することができる。しかしＬＣＤ表示部をフラットに傾けた場合、表示部裏面の対流が減少し、放熱量が低下する問題がある。
【０００５】
【課題を解決するための手段】
上記課題を解決するために、本発明では、冷却液の放熱部であるＬＣＤ等の表示部裏面に沿って冷却風を流すように冷却ファンを設け、これによりＬＣＤ表示裏面に強制対流をおこして表示部裏面からの放熱量の向上と放熱効率の安定化を図るようにした。
【０００６】
また、前記ファンによる冷却風を、ＬＣＤ表示部の開閉度によらず、常にＬＣＤ表示部の裏面に沿って流れるようにした。これにより、ノートＰＣの使用方法によらず、常にＬＣＤ裏面に対流が発生し、放熱効率の安定化するようにした。
【０００７】
さらに、前記冷却ファンの動作を、冷却液温度あるいはＬＣＤ開閉度に応じて制御するようにした。具体的には、冷却液温度がある温度以上になった場合に冷却ファンを駆動し表示部裏面に強制対流を生じさせるか、または、ＬＣＤ開閉度がある角度以上の場合に冷却ファンを駆動し表示部裏面に強制対流を生じさせるようにした。特にＬＣＤ表示部の開閉度がフラットに近づくと、自然対流が発生しずらくなるが、冷却ファンによる強制対流が発生するため、ＬＣＤ表示部裏面からの放熱が可能となる。
【０００８】
【発明の実施の形態】
本発明について、実施例とともに図を参照して説明する。
（実施例１）
図１は冷却液を表示部裏面での自然放熱に加えて、強制的に冷却を行う為の冷却ＦＡＮを塔載したＰＣの概略図である。液冷システムでは、発熱素子１と熱交換を行なった金属パイプ２内冷却液３は、金属パイプ２を経由し、表示部４裏面に実装されている放熱板５にて自然放熱され冷却される。その後、再び発熱素子１と熱交換を行なう。この自然放熱部である放熱板５に、冷却ＦＡＮ６により強制的に風を当てることにより、熱を持った冷却液３をさらに効率良く冷却させることができる。
【０００９】
図２は冷却ＦＡＮ６の風の流れを表わす。システム装置７内に実装された冷却ＦＡＮ６からの風は、システム装置７に設けられた通風孔８を通して表示部４裏面に当たり、放熱板５を強制冷却する。
【００１０】
（実施例２）
図３は、放熱板５用冷却ＦＡＮ６の動作を、金属パイプ２内冷却液３の液温により制御する概略図である。熱交換を行なった金属パイプ２内冷却液３が、システム装置７本体側から表示部４裏面に循環し、放熱板５にて冷却を行なうが、発熱素子１からの発熱量により、冷却液３の温度に差が生じる。そこで、システム装置７本体側から表示部４裏面へ向かう途中の、金属パイプ２のヒンジ部９付近に液温センサー１０を実装し、液温により冷却ＦＡＮ６の動作を制御する。金属パイプ２内冷却液３の温度がある一定を超えた場合に冷却ＦＡＮ６を動作させ、放熱板５を強制冷却する。これにより、金属パイプ２内冷却液３の放熱板５での冷却容量を大きくし、システム装置７の発熱量が大きい場合でも効率良く冷却することが可能である。また発熱量が少ない場合では、冷却ＦＡＮ６の動作を停止させ、静音化を図ることも可能である。
【００１１】
（実施例３）
図４は表示部の開閉角度の変化に伴い、冷却ＦＡＮ６の風向きを変え、放熱板５を冷却する概略図である。通常使用時では、システム装置７内の冷却ＦＡＮ６の風の吹出しは上部となっている。しかし、表示部４の開閉角度が大きくなるに従い、表示部４裏面放熱板５の方向に対して冷却ＦＡＮ６の風の吹出し方向が上部では、風の吹出し方向が異なり放熱板５を効率良く冷却することができない。
【００１２】
そこで、表示部４の開閉に連動して、システム装置７後部に設けてある通風扉１１が開き、冷却ＦＡＮ６からの風の吹出しをシステム装置７後部に変化させ、表示部４の開閉角度が変化しても、冷却風を均等に放熱板５に当てることが可能となる。
【００１３】
（実施例４）
図５は実施例３における冷却能力をさらに向上させる為、表示部４の開閉角度の変化に伴い、冷却ＦＡＮ６の風向きを変え、冷却液３が循環する金属パイプ２を直接冷却する概略図である。冷却ＦＡＮ６からの風は、通風軸１２を通じて表示部４と放熱板５との間に設けた通風道１３に入り、金属パイプ２を直接冷却する。暖められた風は、表示部４の他端または周囲に設けられた風穴より外部に放出される。
【００１４】
また、表示部４の開閉に連動してシステム装置７に設けた通風軸１２を回転させることにより、表示部４が完全に開いた状態や完全に閉じた状態においても通風路を確保し、常に一定した冷却風を金属パイプ２部に送り込むことが可能となる。また、表示部４が完全に閉じた状態では、通風道１３の一部が通風弁１４によって閉じ、冷却風の外部への漏れを防止する。
【００１５】
図５では、表示部内部に冷却風をとおし、表示部内部の金属パイプに直接冷却する例を説明しているが、冷却風を内部をとおさずに他実施例のように表示部裏面に沿うようにしてよい。
【００１６】
【発明の効果】
本発明によれば、ノートＰＣの使用状態によらず、ＬＣＤ表示部の裏面から安定して放熱をおこなえるとともに、清音化を図ることができる。
【図面の簡単な説明】
【図１】本発明を適用したＰＣの概略図である。
【図２】冷却ＦＡＮの風の流れを説明する図である。
【図３】制御概略図。
【図４】表示部の開閉角度の変化に伴う放熱板を冷却の概略図。
【図５】冷却パイプを直接冷却する他の実施例をしめす図。
【符号の説明】
１…発熱素子、２…金属パイプ、３…冷却液、４…表示部、５…放熱板、
６…冷却ＦＡＮ、７…システム装置、８…通風孔、９…ヒンジ部、
１０…液温センサー、１１…通風扉、１２…通風軸、１３…通風道、
１４…通風弁
【図１】
2004302726.tif 000003
【図２】
2004302726.tif 000004
【図３】
2004302726.tif 000005
【図４】
2004302726.tif 000006
【図５】
2004302726.tif 000007